(57)【要約】【課題】  気泡を微細化して被処理水に供給する気泡処理装置につき、簡便な構成によって連続的な使用を可能とするのに有効な技術を提供する。【解決手段】  本発明に係る水処理装置１００では、気泡処理装置２００は、気泡を含む被処理水を流通管２２０内へ導入する一方、この被処理水が流通管２２０内を下方へと流通する際、この被処理水に含まれる気泡を、下向きの水流に抗する浮力によって上向きに浮上して排気口２２２から排気される浮上気泡と、浮上気泡よりも微細で下向きの水流にしたがって下向きに流れて流出口２２０ａから被処理水とともに流出する微細気泡とに分離する構成とされる。【選択図】      図２
2008200604.tif 000002
【特許請求の範囲】
【請求項１】
上下方向に長尺状に延在する流通管と、
前記流通管の上部に気泡を含む被処理水を導入する導入部と、
前記流通管の下部において開口状に設けられるとともに、前記流通管内を流通した被処理水が流出する流出口と、
前記流通管の各部位のうち、前記流出口よりも上方において開口状に設けられた排気口と、
を備え、
前記流出口は、所定の水滞留領域に浸漬される構成であり、
前記導入部から導入された被処理水が前記流通管内を下方へと流通する際、この被処理水に含まれる気泡は、下向きの水流に抗する浮力によって上向きに浮上して前記排気口から排気される浮上気泡と、前記浮上気泡よりも微細で下向きの水流にしたがって下向きに流れて前記流出口から被処理水とともに流出する微細気泡とに分離される構成であることを特徴とする気泡処理装置。
【請求項２】
請求項１に記載の気泡処理装置であって、
前記導入部は、上下方向に長尺状に延在する流入管と、前記流入管に接続されてこの流入管内へと空気を供給する空気供給管と、前記流入管のうち前記空気供給管との接続部位よりも下方において開口状に設けられ、前記所定の水滞留領域に浸漬される流入口を備えるとともに、前記流入管は、前記空気供給管との接続部位よりも上方において前記流通管の上部に接続された構成であり、
前記空気供給管から供給された空気は、前記流入管内を上向きに流れることによって前記流入口から被処理水を吸入して前記流入管内に上向きの水流を形成させるとともに、前記流通管の上部に導入される気泡の供給源とされる構成であることを特徴とする気泡処理装置。
【請求項３】
請求項２に記載の気泡処理装置であって、
前記空気供給管から前記流入管内へと供給される空気の供給量を可変とする空気供給量調節バルブを備え、これによって前記流出口から被処理水とともに流出する微細気泡の大きさが調節可能とされた構成であることを特徴とする気泡処理装置。
【請求項４】
請求項１〜３のうちのいずれか１項に記載の気泡処理装置であって、
前記排気口から排気される前記浮上気泡の排気量を可変とする排気量調節バルブを備える構成であることを特徴とする気泡処理装置。
【請求項５】
被処理水に対し所定の浄化処理を行う水処理装置であって、
請求項１〜４のうちのいずれか１項に記載の気泡処理装置と、
前記導入部から導入される前の被処理水が貯留された水貯留領域と、
を備え、
前記水貯留領域は、前記流出口が浸漬される前記所定の水滞留領域と同一の領域として構成されていることを特徴とする水処理装置。
【発明の詳細な説明】
【技術分野】
【０００１】
本発明は、気泡処理装置に係り、詳しくは気泡を微細化して被処理水に供給する技術に関するものである。
【背景技術】
【０００２】
従来、気泡を微細化して被処理水に供給する各種の装置が知られており、例えば下記特許文献１には、被処理水に対し微細気泡を混合する装置が開示されている。この特許文献１に記載の装置は、ポンプによって加圧された水をミキサーによって空気と混合した後、２個のオリフィスによって２段階に分けて減圧することによって被処理水に対し微細気泡を混合しようとする構成とされる。
【特許文献１】特開２００６−１３６７７７号
【発明の開示】
【発明が解決しようとする課題】
【０００３】
しかしながら、特許文献１に記載の装置は、装置自体が大掛かりとなるうえに、流路が絞られたオリフィスを用いる構成上、装置内における目詰まりが発生し易く、装置を連続的に使用するのが難しいという問題を抱えている。とりわけ、この種の装置を、一般家庭等から排出される被処理水の浄化処理を行う現場設置型の浄化槽に装着することを想定した場合には、長期間にわたる連続的な使用を可能とする技術を構築する要請が高い。
そこで、本発明は、かかる点に鑑みてなされたものであり、気泡を微細化して被処理水に供給する気泡処理装置につき、簡便な構成によって連続的な使用を可能とするのに有効な技術を提供することを課題とする。
【課題を解決するための手段】
【０００４】
前記課題を解決するために、本発明が構成される。なお、本発明は、気泡を微細化して被処理水に供給する装置全般に広く適用され得る。このような装置は、特に被処理水の浄化処理を行う水処理装置において、スカムを浮上させて分離する処理や、曝気槽のように被処理水に対し行う好気処理に好適に使用される。
【０００５】
本発明にかかる気泡処理装置は、流通管、導入部、流出口、排気口を少なくとも備える。本発明の流通管は、上下方向に長尺状に延在する配管として構成される。本発明の導入部は、流通管の上部に気泡を含む被処理水を導入する部位として構成される。本発明の流出口は、流通管の下部において開口状に設けられるとともに、流通管内を流通した被処理水が流出する部位として構成される。この流出口は、所定の水滞留領域に浸漬される。本発明では、流出口から被処理水が流出する所定の水滞留領域は、導入部から導入される前の被処理水が滞留する領域と同一の領域とされてもよいし、或いは導入部から導入される前の被処理水が滞留する領域とは異なる領域とされてもよい。本発明の排気口は、流通管の各部位のうち、流出口よりも上方において開口状に設けられる構成とされる。
【０００６】
このような構成において、導入部から導入された被処理水が流通管内を下方へと流通する際、この被処理水に含まれる気泡は、下向きの水流に抗する浮力によって上向きに浮上して排気口から排気される浮上気泡と、浮上気泡よりも微細で下向きの水流にしたがって下向きに流れて流出口から被処理水とともに流出する微細気泡とに分離される。すなわち流通管内に複雑な流体流れを形成させることによって、流通管内を浮上する浮上気泡の一部が水流によって破砕されて微細気泡を生じることとなる。この場合、浮上気泡は、相対的に気泡径が大きい気泡（粗大気泡）とされる一方、微細気泡は、相対的に気泡径が小さく、浮上気泡よりも浮力の小さい気泡とされる。
【０００７】
本発明にかかる気泡処理装置のこのような構成によれば、気泡を微細化して被処理水に供給する装置を、散気管の細孔のような微細な流路や、流路が絞られたオリフィス等を用いることなく構築することができるため、装置内における目詰まりが発生しにくく連続的な使用が可能とされる。また、配管類を用いた簡便な構成によって、装置コスト低減を図ることが可能となる。
【０００８】
本発明にかかる更なる形態の気泡処理装置では、前記の導入部は、流入管、空気供給管及び流入口を備える構成とされる。流入管は、上下方向に長尺状に延在する配管として構成される。空気供給管は、流入管に接続されてこの流入管内へと空気を供給する配管として構成される。流入口は、流入管のうち空気供給管との接続部位よりも下方において開口状に設けられ、所定の水滞留領域に浸漬される部位として構成される。そして、流入管は、空気供給管との接続部位よりも上方において流通管の上部に接続された構成とされる。
このような構成において、空気供給管から供給された空気は、流入管内を上向きに流れることによって流入口から被処理水を吸入して流入管内に上向きの水流を形成させるとともに、流通管の上部に導入される気泡の供給源とされる。すなわち、本発明では、空気供給管から供給された空気は、微細空気となって流出口から流出する前に、空気の流れ作用（「エアリフト作用」ともいう）によって、被処理水を流通管へと移送する機能を有する。このような構成によれば、被処理水を流通管側へと移送するべく新たにポンプ等の移送手段を設ける必要がないため合理的である。
【０００９】
本発明にかかる更なる形態の気泡処理装置は、空気供給量調節バルブを備える。この空気供給量調節バルブは、空気供給管から流入管内へと供給される空気の供給量を可変とする調節バルブとして構成される。このような構成によれば、被処理水の水質や微細気泡の用途などに応じて空気供給量調節バルブを調節することによって、粗大な気泡と微細な気泡とに分離される気泡の分離性能を調整することで、流出口から被処理水とともに流出する微細気泡の大きさを調節することが可能となる。
【００１０】
本発明にかかる更なる形態の気泡処理装置では、排気量調節バルブを備える。この排気量調節バルブは、排気口から排気される浮上気泡の排気量を可変とする調節バルブとして構成される。このような構成によれば、気泡処理装置の設計仕様などに応じて流通管の長さを変更する場合に、気泡の所望の分離性能に応じて排気量調節バルブを調節することが可能となるところ、気泡処理装置の汎用性を高めることができる。
【００１１】
本発明にかかる水処理装置は、被処理水に対し所定の浄化処理を行う水処理装置であって、前記の各気泡処理装置と、導入部から導入される前の被処理水が貯留された水貯留領域を少なくとも備える。この水貯留領域は、流出口が浸漬される所定の水滞留領域と同一の領域として構成されている。このような構成によれば、特定の領域における概ね同質の被処理水を用いて微細気泡を供給する処理を行うことが可能となる。
【発明の効果】
【００１２】
以上のように、本発明によれば、気泡を微細化して被処理水に供給する気泡処理装置を、簡便な構成によって連続的に使用することが可能となった。
【発明を実施するための最良の形態】
【００１３】
以下に、本発明における一実施の形態の水処理装置を図面に基づいて説明する。なお、本実施の形態は、一般家庭等から排出される被処理水の浄化処理を行う水処理装置（浄化槽）の構築技術について説明するものである。
【００１４】
本発明における「水処理装置」の一実施の形態の排水処理装置１００の処理フローが図１に示される。
図１に示すように、本実施の形態の排水処理装置１００は、槽状に成形された槽本体１０１の内部に各種の浄化処理機構を収容している。大別すると、処理工程の順に対応して上流（図１中の左側）から夾雑物除去槽１１０、嫌気濾床槽１３０、接触濾床槽１５０、処理水槽１７０、消毒槽１９０の各浄化処理機構が槽本体１０１に収容される。このような構成の槽本体１０１の内部に流入した排水は、夾雑物除去槽１１０、嫌気濾床槽１３０、接触濾床槽１５０、処理水槽１７０、消毒槽１９０で順次浄化処理されたのち、槽本体１０１の外部へ放流される。なお、本実施の形態では、各槽において処理される汚水および当該汚水を処理する処理過程において流れる水を「被処理水」ないし「水」と記載する。
【００１５】
夾雑物除去槽１１０は、槽本体１０１の最上流部に配置されており、流入口（図示省略）を通じて当該夾雑物除去槽１１０に被処理水が流入する構成になっている。この夾雑物除去槽１１０は、被処理水中に含まれる夾雑物を、流入バッフル（図示省略）などの固液分離手段を用いて被処理水から分離する処理を行う槽であり、被処理水の固液分離機能を果たす。この夾雑物除去槽１１０において夾雑物の除去処理がなされたあとの水は、その下流に配置された嫌気濾床槽１３０へと移流する。本実施の形態では、この夾雑物除去槽１１０に後述する気泡処理装置２００が装着される。
【００１６】
嫌気濾床槽１３０は、被処理水中の有機汚濁物質を嫌気処理（還元）する機能を有する処理槽であり、典型的には、有機汚濁物質を嫌気処理（還元）する嫌気性微生物が付着する所定量の濾材が濾床に充填される構成を有する。この嫌気処理によってＢＯＤの低減と汚泥物の減量化が図られる。この嫌気濾床槽１３０で処理されたあとの水は、その下流に配置された接触濾床槽１５０へと移流する。
【００１７】
接触濾床槽１５０は、被処理水の好気処理及び濾過処理を行う機能を有する処理槽である。この接触濾床槽１５０で処理されたあとの水は、その下流に配置された処理水槽１７０へと移流する。
【００１８】
処理水槽１７０は、消毒槽１９０へ移流する前の水を一時的に貯留する機能を有する処理槽である。この処理水槽１７０に一時的に貯留された後の水は、一部がエアリフトポンプなどの移送手段によって夾雑物除去槽１１０に循環される一方、残りがエアリフトポンプなどの移送手段やオーバーフローなどによって消毒槽１９０へと移送される。
【００１９】
消毒槽１９０は、処理水槽１７０から流入した水を消毒処理する機能を有する処理槽であり、典型的には、消毒処理を行うための消毒剤（固形塩素剤）が充填された薬剤筒（図示省略）を備えている。この消毒槽１９０において消毒処理された水は、槽本体１０１の外部へ放流される。
【００２０】
上記夾雑物除去槽１１０に装着される気泡処理装置２００の具体的な構成に関しては、図２が参照される。この図２には、本実施の形態の気泡処理装置２００の側面図が示されている。この気泡処理装置２００は、概して、気泡を微細化する処理を行うとともに、微細化されたこの気泡を汚泥物を含む被処理水に供給して汚泥物に付着させることで、スカム（浮上性汚泥）を形成させ易くする機能を果たす。従って、この気泡処理装置２００が装着された夾雑物除去槽１１０は、固液分離機能に加えて、スカム浮上機能ないし曝気機能を有することとなる。
【００２１】
図２に示すように、本実施の形態の気泡処理装置２００は、流入管２１０、流通管２２０及び空気供給管２３０を主体として構成され、配管類や継ぎ手類を適宜組み合わせることによって形成される。この気泡処理装置２００は、槽本体１０１に対する装着状態において、流入管２１０及び流通管２２０が夾雑物除去槽１１０の水面と交差するように上下に延在する。
【００２２】
流入管２１０及び流通管２２０は、いずれも上下方向に長尺状に延在する配管として構成され、接続部２１２において互いに接続されている。流入管２１０の下部にて開口状に設けられた流入口２１０ａは、流入管２１０の各部位のうち接続部２１４よりも下方に配設され、流入管２１０内へと被処理水が流入する部位として構成される。流通管２２０の下部にて開口状に設けられた流出口２２０ａは、流通管２２０内を流通したあとの被処理水が流出する部位として構成される。本実施の形態では、流入管２１０の流入口２１０ａよりも、流通管２２０の流出口２２０ａの方が低所に配置されるとともに、流入口２１０ａ及び流出口２２０ａのいずれも夾雑物除去槽１１０に配設される構成になっている。また、本実施の形態では、流入口２１０ａ及び流出口２２０ａは、いずれも夾雑物除去槽１１０の被処理水が滞留する水滞留領域に浸漬される。当該領域が、本発明における「所定の水滞留領域」及び「導入部から導入される前の被処理水が貯留された水貯留領域」に相当する。
【００２３】
流通管２２０の上部には、流出口２２０ａよりも上方において水面よりも高所に開口状の排気口２２２が形成されている。この排気口２２２は、流通管２２０の上部に設けられた孔、流通管２２０の上部に接続された配管などによって構成される。この排気口２２２は、流通管２２０内の余分な空気を排気するとともに、排気空気を絞ることによって流通管２２０内を大気圧よりも高め、これによって被処理水の下向きの流速を高める機能を有する。空気供給管２３０は、空気を供給する配管として構成され、接続部２１４において流入管２１０に接続されている。この空気供給管２３０は、その上流側にブロワ等の空気供給源が接続される。上記構成の気泡処理装置２００は、流入管２１０の流入口２１０ａと、流通管２２０の流出口２２０ａが、いずれも被処理水が貯留された貯留領域に浸漬される状態に設置される（図２参照）。
【００２４】
ここでいう流入管２１０、流通管２２０及び空気供給管２３０が、それぞれ本発明における「流入管」、「流通管」及び「空気供給管」に相当する。また、ここでいう流入口２１０ａ及び流出口２２０ａが、それぞれ本発明における「流入口」及び「流出口」に相当する。更に、ここでいう流入管２１０、流入口２１０ａ及び空気供給管２３０によって、本発明における「導入部」が構成される。
【００２５】
上記構成の気泡処理装置２００のこのような配置において、空気供給管２３０を通じて流入管２１０内へと空気が供給されると、この空気の上向きの流れ作用（「エアリフト作用」ともいう）によって、夾雑物除去槽１１０の被処理水が流入口２１０ａから流入管２１０内へと吸入される。流入口２１０ａから流入管２１０内へと吸入されたこの被処理水は、空気との混合作用によって気泡を含む状態で流入管２１０内を下方から上方に向けて上向きに流通したのち、接続部２１２を通じて流通管２２０内へと導入される。
【００２６】
流通管２２０内では、被処理水に含まれる気泡は、大気圧を上回る状態で上方から下方に向けて下向きに流通するとともに、当該流通の際、被処理水の下向きの水流と気泡の上向きの浮力とのバランスによって分離される。具体的には、被処理水に含まれる気泡は、下向きの水流に抗する浮力によって上向きに浮上する浮上気泡と、この浮上気泡よりも微細で下向きの水流にしたがって下向きに流れる微細気泡とに分離される。本実施の形態では、流通管２２０内に複雑な流体流れを形成させることによって、流通管２２０内を浮上する浮上気泡の一部が水流によって破砕されて微細気泡を生じることとなる。この分離によって生じた浮上気泡は、相対的に気泡径の大きな気泡（「粗大気泡」ともいう）とされ、浮力によって流通管２２０内を上向きに流れたのち排気口２２２から排気される。一方、この分離によって生じた微細気泡は、相対的に気泡径の小さな気泡とされ、水流によって流通管２２０内を下向きに流れたのち流出口２２０ａから流出し、再び夾雑物除去槽１１０へと戻される。この微細気泡は、典型的にはその平均気泡径が１ｍｍ以下とされる。
【００２７】
上記気泡処理装置２００のこのような構成によれば、夾雑物除去槽１１０へと戻された被処理水に含まれる微細気泡は、配管に単に細孔を設けた散気管のような構成では得られない程度の大きさまで微細化された気泡とされる。とりわけ、一般家庭等から排出される被処理水は、洗剤等に由来する界面活性剤を含んでおり、このような被処理水を気泡処理装置２００によって処理することで、より微細化された気泡の発生を促進する効果が得られることとなる。従って、夾雑物除去槽１１０に貯留された被処理水中の汚泥物に微細気泡が付着して槽上部にスカムが形成されるとともに、粗大気泡によってスカムの形成が妨げられるのを防止することが可能となる。換言すれば、本実施の形態の気泡処理装置２００は、夾雑物除去槽１１０において気泡によってスカムを形成させ、且つ一旦形成したこのスカムが気泡によって破壊されない程度の微細な気泡を供給するのに有効とされる。また、流入口２１０ａから吸入した被処理水が流出口２２０ａから流出する過程において、被処理水中の汚泥物を破砕する効果を得ることが可能となる。また、流出口２２０ａから流出する微細気泡によって、流出先における好気処理効果が得られ、また流出先における酸素溶解効率を高めることが可能となる。
【００２８】
また、上記構成の気泡処理装置２００は、流入口２１０ａから吸入して揚水した水を、その流速を殆ど落とすことなく流出口２２０ａまで微細気泡とともに流すことができる。従って、流出口２２０ａを水滞留領域のより下の方に配設することによって、流出口２２０ａから水とともに流出する微細気泡を水滞留領域の下の方まで供給することができ、流出口２２０ａから供給した微細気泡を水滞留領域の全体に行き渡らせることが可能となる。典型的には、水滞留領域の水深の１／２よりも下方に流出口２２０ａを配設するのが好ましい。これにより、被処理水中の汚泥物に微細気泡が効率良く付着してスカムの形成・浮上効果や固液分離効果が高まることとなる。
【００２９】
また、上記構成の気泡処理装置２００では、流通管２２０内の粗大気泡は、水面よりも高所の排気口２２２から排気されるように構成されており、粗大気泡が水滞留領域に供給されることがないため、粗大気泡によって水滞留領域の流れが必要以上に乱されるのを防止することができ、スカムの形成・浮上効果や固液分離効果に有利である。
【００３０】
また、上記構成の気泡処理装置２００では、空気供給管２３０から供給された空気は、流入管２１０内を上向きに流れることによって流入口２１０ａから被処理水を吸入して流入管２１０内に上向きの水流を形成させるとともに、流通管２２０の上部に導入される気泡の供給源とされる。従って、被処理水を流通管２２０側へと移送するべく新たにポンプ等の移送手段を設ける必要がないため合理的である。
【００３１】
また、上記構成の気泡処理装置２００は、流入管２１０、流通管２２０及び空気供給管２３０などの配管類や継ぎ手類を主体とした簡便な構成であるため、装置コスト低減を図ることが可能となる。更に、この気泡処理装置２００は、散気管の細孔のような微細な流路や、流路が絞られたオリフィス等を有していないため、装置内における目詰まりが発生しにくく連続的な使用が可能とされる。従って、この気泡処理装置２００は、一般家庭等から排出される被処理水の浄化処理を行う現場設置型の浄化槽に装着することを想定した場合には、長期間にわたる連続的な使用に有効とされる。
【００３２】
また、上記構成の水処理装置１００では、気泡処理装置２００において、流入管２１０の流入口２１０ａから流入する前の被処理水と、流通管２２０の流出口２２０ａから流出した後の被処理水は、いずれも同一の領域（夾雑物除去槽１１０）に滞留する構成であるところ、特定の領域における概ね同質の被処理水を用いて微細気泡を供給する処理を行うことが可能となる。
【００３３】
また、この空気供給管２３０から供給される空気の供給量を可変とする空気供給量調節バルブ（図２中の空気供給量調節バルブ２３１）を設ける構成とするのが好ましい。このような構成によれば、被処理水の水質や微細気泡の用途などに応じて空気供給量調節バルブを調節し、粗大気泡と微細気泡とに分離される気泡の分離性能を調整することで、流出口２２０ａから被処理水とともに流出する微細気泡の大きさを調節することが可能となる。図２中の空気供給量調節バルブ２３１は、必要に応じて省略することもできる。
【００３４】
上記流通管２２０の構成に関しては、この流通管２２０の管径を流入管２１０の管径よりも大きくする構成（図２中においてｄ２＞ｄ１とされる構成）とするのが好ましい。流通管２２０の管径を流入管２１０の管径よりも大きくする構成によって、流通管２２０側へと流れる空気が管壁面や水面と衝突する際の衝突面積を増し、より複雑な流体流れを形成させることができ、これよって流通管２２０内を浮上する浮上気泡の一部を水流によって破砕する気泡破砕効果を高めて微細気泡を発生させ易くすることが可能となる。しかも流通管２２０の管路を広くすることで目詰まりの発生を防止することが可能となる。
また、流出口２２０ａにおける管径を流通管２２０の他の部位の管径や、流入口２１０ａの管径よりも小さくする構成（図２中においてｄ２＞ｄ３、ｄ１＞ｄ３とされる構成）とするのが好ましい。流出口２２０ａにおける管径を流通管２２０の他の部位よりも小さくする構成によって、微細気泡を含む被処理水を、流速を高めた状態で流出口２２０ａから排出することができ、排出先における水の撹拌作用を得ることが可能となる。
【００３５】
上記排気口２２２の構成に関しては、この排気口２２２から排気される空気の排気量を調節可能な排気量調節バルブ（図２中の排気量調節バルブ２２３）を設ける構成とするのが好ましい。このような構成によれば、気泡処理装置２００の設計仕様などに応じて流通管２２０の長さを変更する場合に、気泡の所望の分離性能に応じて排気量調節バルブを調節することが可能となるところ、汎用性を高めることができる。図２中の排気量調節バルブ２２３は、必要に応じて省略することもできる。
【００３６】
〔他の実施の形態〕
なお、本発明は上記の実施の形態のみに限定されるものではなく、種々の応用や変形が考えられる。例えば、上記実施の形態を応用した次の各形態を実施することもできる。
【００３７】
上記実施の形態では、夾雑物除去槽１１０に気泡処理装置２００が装着された構成について記載したが、本発明では、種々の水処理領域のうち、微細化された微細気泡が必要とされる領域に気泡処理装置２００を装着することが可能である。具体的には、スカムを浮上させて分離する処理を行うスカム処理領域や、曝気槽のように被処理水に対し好気処理を行う処理領域に、本実施の形態の気泡処理装置２００を装着することができる。
【００３８】
また、上記実施の形態では、流入管２１０の流入口２１０ａから流入する前の被処理水と、流通管２２０の流出口２２０ａから流出した後の被処理水は、いずれも同一の領域に滞留する構成について記載したが、本発明では、流入管２１０の流入口２１０ａから流入する前の被処理水と、流通管２２０の流出口２２０ａから流出した後の被処理水とが異なる域に滞留する構成であってもよい。
【００３９】
また、上記実施の形態では、空気供給管２３０を通じて流入管２１０内へと供給された空気のエアリフト作用によって、被処理水を流入口２１０ａから流入管２１０内へと吸入し、気泡とともに流通管２２０側へと導入する構成について記載したが、本発明では、流通管２２０の上部に気泡を含む被処理水を導入する構成を少なくとも有していればよく、気泡を含む被処理水を流通管２２０側へと導入する部位の構成は、必要に応じて種々変更可能である。例えば、気泡を含む被処理水を加圧状態のまま流通管２２０の上部に直接導入するような構成を採用してもよい。
【００４０】
また、上記実施の形態では、夾雑物除去槽１１０、嫌気濾床槽１３０、接触濾床槽１５０、処理水槽１７０、消毒槽１９０の各浄化処理機構が槽本体１０１に収容される水処理装置１００について記載したが、本発明では、浄化処理機構の組み合わせは、設計仕様などの必要に応じて適宜変更可能である。
【００４１】
また、上記実施の形態では、一般家庭等から排出される生活排水を浄化処理する水処理技術を例にして説明したが、本発明は、微細気泡を用いて被処理水の水処理を行う各種の水処理技術に広く適用され得る。
【図面の簡単な説明】
【００４２】
【図１】本発明における「水処理装置」の一実施の形態の排水処理装置１００の処理フローを示す図である。
【図２】本実施の形態の気泡処理装置２００の側面図である。
【符号の説明】
【００４３】
１００…水処理装置
１０１…槽本体
１１０…夾雑物除去槽
１３０…嫌気濾床槽
１５０…接触濾床槽
１７０…処理水槽
１９０…消毒槽
２００…気泡処理装置
２１０…流入管
２１０ａ…流入口
２１２，２１４…接続部
２２０…流通管
２２２…排気口
２２３…排気量調節バルブ
２２０ａ…流出口
２３０…空気供給管
２３１…空気供給量調節バルブ
【図１】
2008200604.tif 000003
【図２】
2008200604.tif 000004